(57)【要約】【課題】進行方向に並んだ複数画面に表示された映像コンテンツの内容を、歩行している視聴者が理解する。【解決手段】本発明の映像再生装置２は、時刻情報を基準として、再生開始時刻情報と再生開始時刻情報を調整するためのオフセット値とを用いてコンテンツの再生タイミングが制御されることにより、映像受信部２３で受信した第１コンテンツを処理する映像再生部２４２と、所定のユーザが第１コンテンツを１つの連続したコンテンツとして視聴されるように第１時間情報を用いて調整する再生タイミング生成部２４１と、を有することを特徴とする。【選択図】図１
2020031262.tif 000002
【特許請求の範囲】
【請求項１】
時刻情報を基準として、表示時刻情報と表示時刻情報を調整するための第１時間情報とを用いてコンテンツの表示タイミングが制御されることにより、第１コンテンツを処理する第１処理部と、
所定のユーザが前記第１コンテンツを１つの連続したコンテンツとして視聴されるように前記第１時間情報を用いて調整する第２処理部と、
を有することを特徴とする処理装置。
【請求項２】
前記第１時間情報は、予め設定され、かつ、前記処理装置自身に固有の情報である、
ことを特徴とする請求項１に記載の処理装置。
【請求項３】
前記第１時間情報は、第１装置から受信し、かつ、前記処理装置自身に固有の情報である、
ことを特徴とする請求項１に記載の処理装置。
【請求項４】
前記第１装置は、前記時刻情報を前記処理装置に送信する同期時刻配信サーバであり、
前記第１時間情報が加味された前記時刻情報を前記同期時刻配信サーバから受信する、
ことを特徴とする請求項３に記載の処理装置。
【請求項５】
前記第１装置は、前記ユーザを撮影した撮影情報を処理する映像処理装置であり、
前記第１時間情報を前記映像処理装置から受信する、
ことを特徴とする請求項３に記載の処理装置。
【請求項６】
前記映像処理装置は、前記撮影情報を処理して、前記ユーザの移動速度に基づいて算出し、
前記算出した移動速度に基づいて、前記第１時間情報を、前記処理装置ごとに固有に算出する、
ことを特徴とする請求項５に記載の処理装置。
【請求項７】
前記第１コンテンツは、
前記映像処理装置が撮影した前記ユーザの特性に対応したコンテンツの表示要求を満たすコンテンツである、
ことを特徴とする請求項５または請求項６に記載の処理装置。
【請求項８】
処理装置のコンピュータを、
時刻情報を基準として、表示時刻情報と表示時刻情報を調整するための第１時間情報とを用いてコンテンツの表示タイミングが制御されることにより、第１コンテンツを処理する第１処理部、
所定のユーザが第１コンテンツを１つの連続したコンテンツとして視聴されるように第１時間情報を用いて調整する第２処理部、
として機能させるための処理プログラム。
【請求項９】
処理装置における処理方法であって、
前記処理装置は、
時刻情報を基準として、表示時刻情報と表示時刻情報を調整するための第１時間情報とを用いてコンテンツの表示タイミングが制御されることにより、第１コンテンツを処理するステップと、
所定のユーザが第１コンテンツを１つの連続したコンテンツとして視聴されるように第１時間情報を用いて調整するステップと、
を実行することを特徴とする処理方法。
【発明の詳細な説明】
【技術分野】
【０００１】
本発明は、処理装置、処理プログラムおよび処理方法に関し、例えば、複数枚のデジタルサイネージ画面にひとつの映像コンテンツを、時間差をつけて再生させる技術に関するものである。
【背景技術】
【０００２】
8K/4K映像伝送方式として標準化されているＭＭＴ(MPEG media transport)を使用することにより、映像コンテンツの再生開始時間を指定することが可能である。よって複数の端末で、同時にずれなく映像コンテンツを再生することが可能である。このことを利用して、複数の画面で同時にデジタルサイネージを行うことが可能である。なお、ＭＭＴについては、非特許文献１，２に開示されている。
【先行技術文献】
【非特許文献】
【０００３】
【非特許文献１】“ＭＭＴによるコンテンツ配信技術”、［online］、ＮＨＫエンジニアリングシステム、［平成30年8月3日検索］、インターネット〈URL：http://www.nes.or.jp/transfer/catalog/2017/09/70a/〉
【非特許文献２】“MMTを用いた端末間同期技術”、［online］、ＮＨＫ技研  Ｒ＆Ｄ、［平成30年8月3日検索］、インターネット〈URL：https://www.nhk.or.jp/strl/publica/rd/rd166/pdf/P54.pdf〉
【発明の概要】
【発明が解決しようとする課題】
【０００４】
しかしながら、歩行する視聴者の進行方向に並んでいる複数の画面を視聴者が視聴する場合、再生時間の長い映像コンテンツを各画面に同時に流すと、視聴者は、一つの画面の前での視聴を完了せずに次の画面に辿り着いてしまい、前の画面からの続きよりも映像が先に進んでいることがある。視聴者は、画面間を歩行している間は視聴不可であるため、映像コンテンツの内容を理解できない場合がある。
【０００５】
上記事情に鑑みて、本発明は、進行方向に並んだ複数画面に表示された映像コンテンツの内容を、移動している視聴者が理解することを課題とする。
【課題を解決するための手段】
【０００６】
前記課題を解決するため、本発明の処理装置は、時刻情報を基準として、表示時刻情報と表示時刻情報を調整するための第１時間情報とを用いてコンテンツの表示タイミングが制御されることにより、第１コンテンツを処理する第１処理部と、所定のユーザが前記第１コンテンツを１つの連続したコンテンツとして視聴されるように前記第１時間情報を用いて調整する第２処理部と、を有することを特徴とする。
【０００７】
また、本発明の処理プログラムは、処理装置のコンピュータを、時刻情報を基準として、表示時刻情報と表示時刻情報を調整するための第１時間情報とを用いてコンテンツの表示タイミングが制御されることにより、第１コンテンツを処理する第１処理部、所定のユーザが第１コンテンツを１つの連続したコンテンツとして視聴されるように第１時間情報を用いて調整する第２処理部、として機能させるための処理プログラムである。
【０００８】
また、本発明の処理方法は、処理装置における処理方法であって、前記処理装置は、時刻情報を基準として、表示時刻情報と表示時刻情報を調整するための第１時間情報とを用いてコンテンツの表示タイミングが制御されることにより、第１コンテンツを処理するステップと、所定のユーザが第１コンテンツを１つの連続したコンテンツとして視聴されるように第１時間情報を用いて調整するステップと、を実行することを特徴とする。
【発明の効果】
【０００９】
本発明によれば、進行方向に並んだ複数画面に表示された映像コンテンツの内容を、移動している視聴者が理解することができる。
【図面の簡単な説明】
【００１０】
【図１】第１の実施形態におけるデジタルサイネージ時差表示システムの機能構成図である。
【図２】第１の実施形態に示す時刻同期とオフセット値の設定手法（手法１）の説明図である。
【図３】第１の実施形態における同期時刻配信サーバの機能説明図である。
【図４】第１の実施形態における映像再生装置の機能構成図である。
【図５】時差再生処理のフローチャートである。
【図６】デジタルサイネージ時差表示の具体例の説明図である。
【図７】第１の実施形態の変形例に示す時刻同期とオフセット値の設定手法（手法２）の説明図である。
【図８】第１の実施形態の変形例における同期時刻配信サーバの機能説明図である。
【図９】第１の実施形態の変形例における映像再生装置の機能構成図である。
【図１０】第２の実施形態におけるデジタルサイネージ時差表示システムの機能構成図である。
【図１１】第２の実施形態における同期時刻配信サーバ、映像処理装置、および、映像再生装置の機能説明図である。
【図１２】第３の実施形態におけるデジタルサイネージ時差表示システムの機能構成図である。
【発明を実施するための形態】
【００１１】
以下、本発明の実施するための形態を、適宜図面を参照しながら詳細に説明する。
各図は、本発明を十分に理解できる程度に、概略的に示してあるに過ぎない。よって、本発明は、図示例のみに限定されるものではない。また、本実施形態では、本発明と直接的に関連しない構成や周知な構成については、説明を省略する場合がある。なお、各図において、共通する構成要素や同様な構成要素については、同一の符号を付し、それらの重複する説明を省略する。
【００１２】
本実施形態では、ＭＭＴを用いて、複数の画面にコンテンツを表示する。ＭＭＴに関する説明としては、例えば、
（１）「ＭＭＴでは、世界標準時刻であるＵＴＣ（Coordinated Universal Time）に基づくＰＴＳ（Presentation Time Stamp）をコンテンツとともに送信し、受信端末は自身が持つ時計の時刻とＰＴＳとを照合します。これにより、それぞれの受信環境に応じた伝送遅延時間を把握でき、所望の時刻にコンテンツを提示することができます。」（非特許文献１の〔技術情報〕の（１）コンテンツの同期提示）
（２）「ＭＭＴでは、映像を表示させたい時刻を指示するタイムスタンプを送信し、受信端末は自身の時計の時刻とタイムスタンプを比較して映像を表示する。伝送遅延が異なる映像でも、タイムスタンプが同じシーンを同時に表示することで同期させることができる。」（非特許文献２）
がある。
【００１３】
また、本実施形態では、コンテンツを映像コンテンツと呼ぶ場合がある。
【００１４】
≪第１の実施形態≫ 
＜構成＞
まず、第１の実施形態におけるデジタルサイネージ時差表示システムＡ１について詳細に説明する。
【００１５】
図１に示すように、デジタルサイネージ時差表示システムＡ１は、同期時刻配信サーバ１と、複数の映像再生装置２と、複数の映像表示装置３とにより構成されている。さらに、同期時刻配信サーバ１は、ネットワークＮＷを通じてＮＴＰ（Network Time Protocol）サーバ１００に接続されている。また、映像再生装置２は、ネットワークＮＷを通じて映像配信サーバ２００と接続されている。また、複数の映像表示装置３を、１つの映像再生装置２に接続する構成をとってもよい。
【００１６】
（ＮＴＰサーバ１００） 
ＮＴＰサーバ１００は、ネットワークＮＷに接続され、ＮＴＰプロトコルに基づいて時刻情報を送信することが可能な一般的なＮＴＰサーバ装置である。ＮＴＰサーバ１００は、ネットワークＮＷに接続され、各装置の時刻を同期させる機能を持つ。
特に、ＮＴＰプロトコルを利用するＮＴＰサーバ１００でなくとも、システムで基準となる時刻を生成するサーバを設置することも可能である。
【００１７】
（ネットワークＮＷ） 
ネットワークＮＷは、ＮＴＰサーバ１００と、同期時刻配信サーバ１と、映像再生装置２と、映像配信サーバ２００との間で双方向通信を可能に接続する通信回線網である。例えば、ネットワークＮＷは以下の通信網を想定する。
・公衆回線：インターネット、電話回線網、衛星通信網、G5/G4モバイルネットワーク
・専用回線網等：ＷＡＮ（Wide Area Network）、ＬＡＮ（Local Area Network）、ＩＰ−ＶＰＮ（Internet Protocol-Virtual Private Network）、ワイヤレスＬＡＮ等
【００１８】
（映像配信サーバ２００）
映像配信サーバ２００は、ネットワークＮＷを通じて、複数の映像再生装置２に接続されている。映像配信サーバ２００は映像コンテンツを複数の映像再生装置２に対して一斉にＭＭＴ（MPEG media transport）方式でマルチキャストにて送信する。
【００１９】
（同期時刻配信サーバ１） 
同期時刻配信サーバ１は、ＮＴＰサーバ１００が送信する時刻情報をネットワークＮＷを通じて受信し、同期時刻配信サーバ１が備える時計（図示せず）の時刻をＮＴＰサーバ１００の時刻に同期させる。また、同期時刻配信サーバ１は、デジタルサイネージ時差表示システムＡ１に含まれる複数の映像再生装置２の各々の時刻を同期させるために、複数の映像再生装置２に対して一斉にマルチキャストで時刻情報を送信する。このとき、同期時刻配信サーバ１は、自身が備える時計の時刻によって時刻情報を送信するタイミングを制御する。
また、同期時刻配信サーバ１は、複数の映像再生装置２の各々の時刻を同期させるために、複数の映像再生装置２に対して一斉にブロードキャストで時刻情報を送信することもできる。
【００２０】
第１の実施形態では、デジタルサイネージ時差表示システムＡ１に含まれる複数の映像再生装置２の表示をずらすために、複数の映像再生装置２に対して別々のオフセット値をあらかじめ設定しておく。図２に、第１の実施形態に示す時刻同期とオフセット値の設定手法（手法１）を示す。
【００２１】
図２を参照すると、同期時刻配信サーバ１は、複数の映像再生装置２に対して一斉に時刻情報を送出する。また、映像配信サーバ２００は、映像コンテンツを、複数の映像再生装置２に対して一斉にマルチキャスト配信する。複数の映像再生装置２は、映像配信サーバ２００から受信した映像コンテンツを、同期時刻配信サーバ１からの時刻情報が示す時刻に、各映像再生装置２に予め設定されたオフセット値を加算した時刻から再生させる。設定値（オフセット値）は任意で自由に設定できることとする。よって、同期時刻配信サーバ１は、オフセット値の設定に関係はしない。
ここで、各映像再生装置２に予め設定されたオフセット値の一例は、図２において、各映像再生装置２の右上に記載される「±０」（秒）、「＋５」（秒）、「＋１０」（秒）、「＋１５」（秒）、「＋２０」（秒）、「＋２５」（秒）、「＋３０」（秒）である。
【００２２】
図２では、７台の映像再生装置２について、最左の映像再生装置２が映像コンテンツを時刻情報に示す時刻の通りに再生開始する場合、右隣りの映像再生装置２は、５秒経過して再生開始し、さらに右隣りの映像再生装置２は、１０秒経過して再生開始し、最右の映像再生装置２は、３０秒経過して再生開始することを示す。
【００２３】
（映像再生装置２） 
図１に戻って、映像再生装置２は、コンテンツを再生して映像表示装置３に表示する機能を有する。映像再生装置２に接続される映像表示装置３は複数になることもある。このとき、映像再生装置２は、自身が有する時計の時刻に従ってコンテンツ毎に設定された時刻にコンテンツを再生する。そのため、映像再生装置２は、同期時刻配信サーバ１から定期的に、または、不定期に時刻情報を受信して、自身が有する時計の時刻と同期時刻配信サーバ１の時刻とを同期させ、デジタルサイネージ時差表示システムＡ１が備える他の映像再生装置２の時刻と同期させる。また、映像再生装置２は、ネットワークＮＷを通じて接続されている映像配信サーバ２００からの映像コンテンツを再生して、映像表示装置３に表示させる。
【００２４】
それぞれの映像再生装置２では、あらかじめオフセット値が設定されている。それぞれの映像再生装置２は、同期時刻配信サーバ１からの時刻情報に同期し、同期した時刻にオフセット値を加味する。そして、それぞれの映像再生装置２は映像配信サーバ２００から受信した映像信号（映像コンテンツ）を同信号から抽出した再生開始時刻情報に合わせて再生させる。設定値（オフセット値）は任意で自由に設定できることとする。
ここで、再生開始時刻情報は、「表示時刻情報」の一例である。
また、オフセット値は、「第１時間情報」の一例である。
【００２５】
（映像表示装置３） 
映像表示装置３は、映像再生装置２に接続されており、映像再生装置２が再生するコンテンツの映像を表示する。映像表示装置３は、例えば、以下を想定する。
・液晶ディスプレイ（ＬＣＤ；Liquid Crystal Display）
・プラズマディスプレイ（ＰＤＰ；Plasma Display Panel）
・ブラウン管ディスプレイ（ＣＲＴ；Cathode Ray Tube）
・ビデオプロジェクタ
・ＬＥＤ（Light Emitting Diode）ディスプレイ
・今後開発されるあらゆる種類のディスプレイ
【００２６】
［同期時刻配信サーバ１の構成］ 
図３を使用し、第１の実施形態における同期時刻配信サーバ１の機能構成を説明する。
図３に示すように、同期時刻配信サーバ１は、同期時刻受信部１１と、内部時計部１２と、同期時刻配信部１３と、を備える。また、同期時刻受信部１１は、ネットワークＮＷを通じてＮＴＰサーバ１００に接続されている。また、同期時刻配信部１３には、複数の映像再生装置２が接続されている。
【００２７】
（同期時刻受信部１１） 
同期時刻受信部１１は、ネットワークＮＷを通じて、ＮＴＰサーバ１００から時刻情報を受信する。例えば、同期時刻受信部１１は、ＮＴＰサーバ１００に時刻情報要求信号を送信することで、ＮＴＰサーバ１００から時刻情報を受信することができる。
【００２８】
（内部時計部１２） 
内部時計部１２は、同期時刻受信部１１から時刻情報を取得し、その時刻情報に基づいて自身の時刻合わせを実行する。そして、内部時計部１２は、同期時刻受信部１１が受信した時刻情報が示す時刻に自身の現在時刻を設定し、同期時刻配信サーバ１の時計として機能する。
【００２９】
（同期時刻配信部１３） 
同期時刻配信部１３は、内部時計部１２が生成する時刻から時刻情報を生成し、複数の映像再生装置２に対して一斉にマルチキャストで配信する。
【００３０】
［映像再生装置２の構成］ 
図４を使用し、第１の実施形態における映像再生装置２の機能構成を説明する。
図４に示すように、映像再生装置２は、同期時刻受信部２１と、内部時計部２２と、映像受信部２３と、表示制御部２４と、を備える。さらに、表示制御部２４は、再生タイミング生成部２４１と、映像再生部２４２と、を備える。
【００３１】
（同期時刻受信部２１） 
同期時刻受信部２１は、同期時刻配信サーバ１から時刻情報を受信する。例えば、同期時刻受信部２１は、同期時刻配信サーバ１に対して時刻情報要求信号を送信することで、同期時刻配信サーバ１から時刻情報を受信することができる。
【００３２】
（内部時計部２２） 
内部時計部２２は、同期時刻受信部２１から時刻情報を受信し、その時刻情報に基づいて自身の時刻合わせを実行する。そして、内部時計部２２は、同期時刻受信部２１が受信した時刻情報が示す時刻に自身の現在時刻を設定し、映像再生装置２の時計として機能する。
【００３３】
（映像受信部２３） 
映像受信部２３は、映像配信サーバ２００から送信された映像コンテンツを受信し、受信した映像コンテンツから再生開始時刻情報（タイムスタンプ）を抽出して、表示制御部２４の再生タイミング生成部２４１へ送信する。また、映像受信部２３は、映像コンテンツを表示制御部２４の映像再生部２４２へ送信する。
ここで、映像受信部２３は、映像配信サーバ２００から送信された映像コンテンツを、ＭＭＴ方式であり、マルチキャスト方式（以下、ＭＭＴ方式マルチキャストと記載）で受信する。
【００３４】
（表示制御部２４；再生タイミング生成部２４１） 
表示制御部２４を構成する再生タイミング生成部２４１は、各映像再生装置２で設定されているオフセット値と、内部時計部２２が生成する時刻と、映像受信部２３からの再生開始時刻情報とから生成された、映像コンテンツ毎の再生タイミングを映像再生部２４２に通知する。
ここで、再生タイミングは、「表示タイミング」の一例である。
また、映像受信部２３で受信する映像コンテンツは、「第１コンテンツ」の一例である。
また、再生タイミング生成部２４１は、「第２処理部」の一例である。
【００３５】
第１の実施形態では、オフセット値と、内部時計部２２が刻む時刻、映像受信部２３からの再生開始時刻情報に基づいて、映像コンテンツ毎に設定された再生タイミングが、映像再生部２４２に通知される。
【００３６】
（表示制御部２４；映像再生部２４２） 
映像再生部２４２は、再生タイミング生成部２４１から通知された再生タイミングを使用し、映像受信部２３から受信した映像コンテンツの再生を行う。映像再生部２４２は、映像表示装置３に接続されており、映像信号（映像コンテンツ）を映像表示装置３に送信し、映像を表示することができる。このとき、映像再生部２４２に接続される映像表示装置３は、１台または複数台とすることができる。
ここで、映像再生部２４２は、「第１処理部」の一例である。
【００３７】
再生タイミング生成部２４１において、内部時計部２２から受領した時刻情報からオフセット値を減算したときの時刻と、映像受信部２３から受信した再生開始時刻情報が示す時刻とから生成した再生タイミングが、映像再生部２４２に通知される。
また、映像受信部２３において、映像コンテンツから抽出した再生開始時刻情報が、再生タイミング生成部２４１に送信され、映像コンテンツが映像再生部２４２に送信される。
映像再生部２４２において、再生タイミング生成部２４１から通知された再生タイミングで、映像受信部２３から受信された映像コンテンツの再生を開始する。
【００３８】
＜処理＞
図５を使用して、第１の実施形態の映像再生装置２が実行する時差再生処理について説明する。映像再生装置２の再生タイミング生成部２４１には、所定量のオフセット値が予め設定されているとする。
【００３９】
図５に示すように、まず、映像再生装置２は、同期時刻受信部２１によって、同期時刻配信サーバ１から時刻情報を受信する（ステップＳ１）。受信した時刻情報は、ＮＴＰサーバ１００の時刻に同期しており、内部時計部２２によって、映像再生装置２自身の時刻情報となる。時刻情報は、内部時計部２２から再生タイミング生成部２４１に出力される。
【００４０】
次に、映像再生装置２は、映像受信部２３によって、映像配信サーバ２００から映像コンテンツを受信する（ステップＳ２）。映像受信部２３は、受信した映像コンテンツから再生開始時刻情報を抽出する（ステップＳ３）。抽出した再生開始時刻情報は、映像受信部２３から再生タイミング生成部２４１に出力される。
【００４１】
次に、映像再生装置２は、再生タイミング生成部２４１によって、時刻情報と、オフセット値と、再生開始時刻情報とを照合し、「時刻情報  −  オフセット値  ＝  再生開始時刻情報」という関係式が成立したか否か判定する（ステップＳ４）。成立しない場合（ステップＳ４でＮｏ）、時刻情報が示す時刻が進み、関係式が成立するまで、本処理を待機する。
【００４２】
関係式が成立した場合（ステップＳ４でＹｅｓ）、映像コンテンツの再生タイミングが決定され、映像再生装置２は、映像再生部２４２によって、映像コンテンツを決定された再生タイミングで再生する（ステップＳ５）。なお、図５の時差再生処理は、複数台ある映像再生装置２の各々で実行される。
【００４３】
図５の時差再生処理によれば、映像再生装置２の時刻情報が示す時刻を、映像再生装置２の各々に設定されているオフセット値だけずらすことができる。ＭＭＴ方式マルチキャストによって、同じ映像コンテンツが映像配信サーバ２００から映像再生装置２の各々に送信されるが、映像再生装置２の各々の時刻情報に異なるオフセットがかかっているため、映像コンテンツの再生は、それぞれのオフセット値の分だけ遅れて（時刻が繰り下がって）開始することができる。
【００４４】
（具体例）
図６に示すように、歩行する視聴者Ｗの進行方向に並んでいる複数の画面１〜７を視聴者が視聴する場合について説明する。画面１〜７は、７台の映像表示装置３（図１）の表示画面である。映像配信サーバ２００は、映像再生装置２（図１）を経由して映像コンテンツを画面１〜７にマルチキャスト配信する。
【００４５】
従来では、再生時間の長い映像コンテンツを各画面１〜７に同時に流していた。この場合、視聴者は、画面間を歩行している間は視聴不可であるため、映像コンテンツを断片的にしか視聴することができなかった。
【００４６】
各画面１〜７に同時に流す映像コンテンツの再生時間が１４秒（ｓｅｃ）であったとする。また、隣接する画面間を視聴者Ｗが歩行する時間が５秒間であったとする。この５秒間は、視聴不可の時間となる。また、各画面の傍を通過する視聴者Ｗがその画面に表示されている映像コンテンツを視聴できる時間は２秒間であったとする。
【００４７】
視聴者Ｗが画面１の傍を通過した時に、画面１〜７で映像コンテンツの再生を開始した場合、視聴者Ｗは、再生開始後０秒後〜２秒後の映像コンテンツを画面１で視聴することができる。しかし、画面１を通過し画面２を視聴することができるまでの５秒間で映像コンテンツが進んでしまう。視聴者Ｗが画面２を視聴することができる場所を通過する時は、画面２では、再生開始後７秒後の映像コンテンツが表示されている。視聴者Ｗは、２秒後の映像コンテンツの後に、７秒後の映像コンテンツを視聴することになる。視聴者Ｗは、再生開始後２秒後〜７秒後の映像コンテンツを視聴することができないため、映像コンテンツの内容を理解することができない。
【００４８】
そこで、本発明では、複数画面で同時刻に再生を行うのではなく、時間差をつけて再生を行う。この時間差は、視聴者Ｗの歩く時間を考慮して適宜決定することができ、オフセット値として設定される。図６の例では、画面２〜７では、前の画面から５秒後に再生開始するように調整する。つまり、画面２〜７に対応する映像再生装置２の各々で設定されているオフセット値は、＋５秒、＋１０秒、＋１５秒、＋２０秒、＋２５秒、＋３０秒となる。オフセット値は、視聴者が視聴不可となる画面間の移動に要する時間に一致する。
【００４９】
視聴者Ｗが画面１の傍を通過した時に、画面１で映像コンテンツの再生を開始した場合、視聴者Ｗは、再生開始後０秒後〜２秒後の映像コンテンツを画面１で視聴することができる。視聴者Ｗは、画面１，２間を５秒間で歩行する。
【００５０】
画面２に表示される映像コンテンツの再生開始は、画面１での再生開始から５秒後となる。よって、視聴者Ｗは、画面２での再生開始後２秒後に、画面２の傍を通過することができ、再生開始後２秒後〜４秒後の映像コンテンツを画面２で視聴することができる。視聴者Ｗは、画面２，３間を５秒間で歩行する。
【００５１】
画面３に表示される映像コンテンツの再生開始は、画面２での再生開始から５秒後となる。よって、視聴者Ｗは、画面３での再生開始後４秒後に、画面３の傍を通過することができ、再生開始後４秒後〜６秒後の映像コンテンツを画面３で視聴することができる。視聴者Ｗは、画面３，４間を５秒間で歩行する。
以降、画面４〜画面６についても同様に繰り返される。
【００５２】
画面７に表示される映像コンテンツの再生開始は、画面６での再生開始から５秒後となる。よって、視聴者Ｗは、画面７での再生開始後１２秒後に、画面７の傍を通過することができ、再生開始後１２秒後〜１４秒後の映像コンテンツを画面７で視聴することができる。視聴者Ｗは、画面１〜画面７に亘って、計１４秒のコンテンツを連続的に視聴することができるため、映像コンテンツの内容を理解することができる。
【００５３】
本具体例によれば、進行方向に並んだ複数画面に表示された映像コンテンツの内容を、歩行（移動）している視聴者が理解することができる。
【００５４】
≪第１の実施形態の変形例≫
次に、第１の実施形態の変形例におけるデジタルサイネージ時差表示システムＡ１−１について、主に、デジタルサイネージ時差表示システムＡ１との相違点について詳細に説明する。
【００５５】
第１の実施形態の変形例では、デジタルサイネージ時差表示システムＡ１−１に含まれる複数の映像再生装置２の表示をずらすために、複数の映像再生装置２に対してそれぞれ個別に時刻情報（オフセット済みの時刻情報）を同期時刻配信サーバ１が送付する。図７に、第１の実施形態の変形例に示す時刻同期とオフセット値の設定手法（手法２）を示す。
【００５６】
図７を参照すると、同期時刻配信サーバ１は、複数の映像再生装置２に対して一斉にそれぞれ個別の時刻情報を送出する。また、映像配信サーバ２００は、映像コンテンツを、複数の映像再生装置２に対して一斉にマルチキャスト配信する。それぞれの映像再生装置２は、映像配信サーバ２００から受信した映像信号（映像コンテンツ）を同信号から抽出した再生開始時刻情報に合わせて再生させる。設定値（オフセット値）は任意で自由に設定できることとする。
【００５７】
図７では、７台の映像再生装置２について、最左の映像再生装置２が映像コンテンツを時刻情報に示す時刻の通りに再生開始する場合、５秒のオフセット値を含む時刻情報を同期時刻配信サーバ１から取得する右隣りの映像再生装置２は、５秒経過して再生開始することを示す。また、１０秒のオフセット値を含む時刻情報を同期時刻配信サーバ１から取得するさらに右隣りの映像再生装置２は、１０秒経過して再生開始する。以下、同様にして、３０秒のオフセット値を含む時刻情報を同期時刻配信サーバ１から取得する最右の映像再生装置２は、３０秒経過して再生開始する。
【００５８】
図８に示すように、デジタルサイネージ時差表示システムＡ１−１と、第１の実施形態のデジタルサイネージ時差表示システムＡ１（図３）と相違する点は、同期時刻配信サーバ１がオフセット値設定部１４をさらに備える点である。
【００５９】
（オフセット値設定部１４）
オフセット値設定部１４は、作業者が設定した各映像再生装置２向けのオフセット値を同期時刻配信部１３に送信する。同期時刻配信部１３では、内部時計部１２から受信した時刻情報にオフセット値設定部１４から受信した各映像再生装置２向けのオフセット値を加えた時刻情報を各映像再生装置２に向けて送信する。
ここで、オフセット値を加えた時刻情報は、「オフセット値が加味された時刻情報」の一例である。
また、オフセット値設定部１４を備える同期時刻配信サーバ１は、「第１装置」（外部）の一例である。
【００６０】
オフセット値は手動で入力しても良いし、自動で、例えば、曜日によってオフセット値を変える（平日は歩く速度が速く、休日は遅い）などによって、行うことも可能である。また、同期時刻配信サーバ１は、例えば、それぞれ個別の時刻情報を送信するために、各映像再生装置２にユニキャストで時刻情報を送信することができる。
【００６１】
それぞれの映像再生装置２は、同期時刻配信サーバ１からの（オフセット値を含む）時刻情報に同期する。そして、それぞれの映像再生装置２は、映像配信サーバ２００から受信した映像信号（映像コンテンツ）を同信号から抽出した再生開始時刻情報に合わせて再生させる。
【００６２】
図９に示すように、映像再生装置２の再生タイミング生成部２４１は、内部時計部２２が刻む時刻、映像受信部２３からの映像コンテンツから抽出された再生開始時刻情報に基づいて、映像コンテンツ毎に設定された再生タイミングを生成し、映像再生部２４２に通知する。このとき、第１の実施形態のように、映像再生装置２へのオフセット設定は必要ない。
【００６３】
再生タイミング生成部２４１において、内部時計部２２から受領した、（オフセット値分減算させた）時刻情報が示す時刻と、映像受信部２０６から受信した再生開始時刻情報が示す時刻とから生成した再生タイミングが、映像再生部２４２に通知される。
また、映像受信部２３において、映像コンテンツから抽出した再生開始時刻情報が、再生タイミング生成部２４１に送信され、映像コンテンツが映像再生部２４２に送信される。
映像再生部２４２において、再生タイミング生成部２４１から通知された再生タイミングで、映像受信部２３から受信された映像コンテンツの再生を開始する。
【００６４】
第１の実施形態の変形例における時差再生処理は、図５に示すものと同様である。ただし、映像再生装置２が同期時刻配信サーバ１から受信する時刻情報は、オフセット値設定部１４（図８）が設定したオフセット値分減算された時刻を示す時刻情報となっている点、および、図５のステップＳ４の関係式は、「（オフセット値分減算された）時刻情報  ＝  再生開始時刻情報」となる点が異なる。
【００６５】
第１の実施形態の変形例によれば、同期時刻配信サーバ１が各映像表示装置３の画面へ送信する時刻値を制御する。つまり、同期時刻配信サーバ１がそれぞれの映像再生装置２に固有の時刻値を生成し、各映像再生装置２へ送信する。例えば、同期時刻配信サーバ１は、各映像再生装置２をＩＰアドレスで識別することができる。
よって、ＭＭＴ方式マルチキャストによって、同じ映像コンテンツが映像配信サーバ２００から映像再生装置２の各々に送信されるが、映像再生装置２の各々の時刻情報に異なるオフセットがかかっているため、映像コンテンツの再生は、それぞれのオフセット値の分だけ繰り下がって開始することができる。
第１の実施形態の変形例の場合、同期時刻配信サーバ１にオフセット値設定部１４を備えることで、多数存在する映像再生装置２に時刻オフセット機能を実装する改造を不要とすることができ、実装コストを抑えることができる。
【００６６】
≪第２の実施形態≫ 
次に、第２の実施形態におけるデジタルサイネージ時差表示システムＡ２について詳細に説明する。但し、上記の第１の実施形態、および、その変形例におけるデジタルサイネージ時差表示システムＡ１，Ａ１−１と実質的に同一の構成要素については詳細な説明を省略し、同一の符号を付することにより重複する説明を省略する。
【００６７】
図１０に示すように、デジタルサイネージ時差表示システムＡ２は、同期時刻配信サーバ１と、複数の映像再生装置２（２−１〜２−７）と、複数の映像表示装置３と、映像処理装置４（４−１，４−２）と、カメラ５（５−１，５−２）により構成される。第２の実施形態では、特に、映像処理装置４の機能構成に特徴を有する。
【００６８】
映像処理装置４は、カメラ５が撮影したときの撮影情報を処理する装置である。
カメラ５は、所定の空間を撮影する装置である。
【００６９】
例えば、カメラ５が、歩行者（映像コンテンツを視聴する視聴者）を撮影した場合、映像処理装置４は、カメラ５が撮影した歩行者を認知（検出）し、歩行者の歩行速度を計算することができる。また、映像処理装置４は、歩行速度に応じたオフセット値を算出することができる。算出したオフセット値は、歩行速度に比例した値であり、図６に示す具体例でいえば、隣接する画面間の移動に対応する値（時間）とすることができる。
【００７０】
図１０のデジタルサイネージ時差表示システムＡ２に関して、映像処理装置４−１は、カメラ５−１が撮影した歩行者（物体）を認知し、歩行者における移動の速度計算（歩行速度）をし、映像再生装置２−１〜２−３、および、映像処理装置４−２に相応のオフセット値（ｓｅｃ（秒））を送信することができる。例えば、図１０に示すように、映像再生装置２−１に送信されたオフセット値を、±０とし、映像再生装置２−２に送信されたオフセット値を、＋４とし、映像再生装置２−３に送信されたオフセット値を、＋８とし、映像処理装置４−２に送信されたオフセット値を、映像再生装置２−１〜２−３の各々に送信されたオフセット値±０、＋４、＋８の集まりとすることができる。
【００７１】
また、映像処理装置４−１は、カメラ５−１が撮影した歩行者を認知し、速度計算をし、映像再生装置２−４〜２−７に、映像処理装置４−１からのオフセット値を加味したオフセット値を送信することができる。例えば、図１０に示すように、カメラ５−１の撮影空間を通過する歩行者の歩行速度が小さくなったことを考慮して、映像再生装置２−４に送信されたオフセット値を、＋１２とするが、映像再生装置２−５に送信されたオフセット値を、＋１９とし、映像再生装置２−６に送信されたオフセット値を、＋２６とし、映像再生装置２−７に送信されたオフセット値を、＋３３とすることができる。
【００７２】
［同期時刻配信サーバ１の構成］
次に、図１１を使用し、第２の実施形態における同期時刻配信サーバ１の機能構成について説明する。
但し、上記の第１の実施形態、および、その変形例における同期時刻配信サーバ１と実質的に同一の構成要素については詳細な説明を省略し、同一の符号を付することにより重複する説明を省略する。
また、上記の第１の実施形態、および、その変形例における映像再生装置２と実質的に同一の構成要素については詳細な説明を省略し、同一の符号を付することにより重複する説明を省略する。
【００７３】
（同期時刻配信部１３）
同期時刻配信部１３は、内部時計部１２が刻む時刻に基づいて時刻情報を生成し、当該時刻情報を複数の映像再生装置２に対して一斉に配信する。つまり、同期時刻配信部１３は、内部時計部１２に基づき、所定の時刻を示す時刻情報をデジタルサイネージ時差表示システムＡ２内の複数の映像再生装置２にマルチキャストする。
【００７４】
［映像再生装置２の構成］
次に、図１１を使用し、第２の実施形態における映像再生装置２の構成について説明する。
図１１に示すように、映像再生装置２は、同期時刻受信部２１と、内部時計部２２と、映像受信部２３と、表示制御部２４とを備える。さらに、表示制御部２４は、再生タイミング生成部２４１と、映像再生部２４２と、を備える。
【００７５】
（内部時計部２２）
内部時計部２２は、同期時刻受信部２１から時刻情報を取得し、当該時刻情報に基づいて後述する時刻合わせを実行する。つまり、内部時計部２２は、同期時刻受信部２１が受信した時刻情報が示す時刻に現在時刻を設定する。内部時計部２２は、映像再生装置２の時計である。内部時計部２２は、同期時刻受信部２１が受信した時刻情報に基づいて設定した時刻を基準にして時刻を刻む機能を有する。内部時計部２２は、例えば、映像再生装置２が有するシステム時計等により構成される。
【００７６】
（表示制御部２４；再生タイミング生成部２４１）
表示制御部２４を構成する再生タイミング生成部２４１は、映像処理装置４のオフセット算出部４３から受信したオフセット値と、映像受信部２３から受信した再生開始時刻情報と、内部時計部２２が刻む時刻に基づいて、コンテンツ毎に設定された再生タイミングを映像再生部２４２に通知する。
【００７７】
［映像処理装置４の構成］
次に、図１１を使用し、第２の実施形態における映像処理装置４の構成について説明する。映像処理装置４は、動体検知部４１と、速度検出部４２と、オフセット算出部４３と、を備える。
【００７８】
（動体検知部４１、速度検出部４２、オフセット算出部４３）
動体検知部４１は、カメラ５から撮影情報（映像信号）を受信し、動いているものを検知し、その検知した情報（動体情報）を速度検出部４２へ送る。
速度検出部４２は、動体検知部４１から受信した動体情報から、動体の速度を検出し、その検知した情報（速度情報）をオフセット算出部４３へ送る。
ここで、動体の速度は、「移動速度」の一例である。
オフセット算出部４３は、速度検出部４２から受信した速度情報から、オフセット値を算出し、算出したオフセット値を、映像再生装置２の再生タイミング生成部２４１へ送信する。
ここで、オフセット算出部４３を備える映像処理装置４は、「第１装置」（外部）の一例である。
【００７９】
第２の実施形態における時差再生処理は、図５に示すものと同様である。ただし、再生タイミング生成部２４１が用いるオフセット値は、映像処理装置４が算出したオフセット値となっている点が異なる。
【００８０】
第２の実施形態によれば、各映像表示装置３に付随したカメラ５と映像処理装置４によって歩行者を認知し、その速度からオフセット値を算出して各映像再生装置２へ送信する。各映像再生装置２は、映像処理装置４から受信したオフセット値と、映像コンテンツから抽出した再生開始時刻情報に従って映像コンテンツを再生する。
【００８１】
よって、ＭＭＴ方式マルチキャストによって、同じ映像コンテンツが映像配信サーバ２００から映像再生装置２の各々に送信されるが、映像再生装置２の各々の時刻情報に異なるオフセットがかかっているため、映像コンテンツの再生は、それぞれのオフセット値の分だけ繰り下がって開始することができる。
【００８２】
なお、カメラ５と映像処理装置４は画面１（図６）の場所のみでも良いし、複数でも良い。図１０に示す構成であれば、画面１，２，３、４（図６）は、映像処理装置４−１の算出したオフセット値に従って表示し、画面４，５，６，７（図６）は、映像処理装置４−２が算出したオフセット値に従って表示する。
【００８３】
≪第３の実施形態≫
次に、第３の実施形態におけるデジタルサイネージ時差表示システムＡ３について詳細に説明する。但し、上記の第１の実施形態、その変形例、および、第２の実施形態に係るデジタルサイネージ時差表示システムＡ１，Ａ１−１，Ａ２と実質的に同一の構成要素については詳細な説明を省略し、同一の符号を付することにより重複する説明を省略する。
第３の実施形態の特徴は、上記の第２の実施形態の映像処理装置で、対象の性別や年齢を推定し、推定された情報に基づいて流すコンテンツの再生要求を行う構成にある。
【００８４】
図１２に示すように、デジタルサイネージ時差表示システムＡ３は、同期時刻配信サーバ１と、複数の映像再生装置２（２−１〜２−７）と、複数の映像表示装置３と、映像処理装置４（４−１，４−２）と、カメラ５（５−１，５−２）により構成される。第３の実施形態では、特に、映像処理装置４の機能構成に特徴を有する。
【００８５】
デジタルサイネージ時差表示システムＡ２とデジタルサイネージ時差表示システムＡ３との相違点は、デジタルサイネージ時差表示システムＡ３の映像処理装置４が対象識別部４４を備える点である。
【００８６】
［映像処理装置４の構成］
次に、図１２を使用し、第３の実施形態における映像処理装置４の構成について説明する。
【００８７】
図１２に示すように、映像処理装置４は、動体検知部４１と、速度検出部４２と、オフセット算出部４３と、対象識別部４４とを備える。
【００８８】
対象識別部４４は、動体検知部４１から受信した動体情報から、動体の対象を識別する。例えば、対象識別部４４は、対象が男性か女性か、年齢はいくつか、眼鏡はかけているか、ネクタイをしているか、等の特性を確認することができる。対象識別部４４は、確認した情報から、例えば、対象に効果的なＣＭを映像表示装置３から見せるために、最適な映像コンテンツを再生するように、映像配信サーバ２００へ、コンテンツ再生要求を送信する。
ここで、コンテンツ再生要求は、「ユーザの特性に対応したコンテンツの表示要求」の一例である。
【００８９】
映像配信サーバ２００は、視聴者の分類（特性）と、分類された視聴者に表示するコンテンツとを紐付けるデータベース（図示せず）を記憶している。視聴者の分類としては、例えば、性別、年代、身につけている衣類やアクセサリーの種類、などがあるが、これらに限定されない。映像配信サーバ２００は、コンテンツ再生要求に含まれるキーが、上記の分類のいずれかに該当していた場合、該当する分類に紐付けられた映像コンテンツを映像再生装置２に送信する。映像コンテンツの再生タイミングに関するオフセット値に関する事項は、第２の実施形態と同様である。
【００９０】
第３の実施形態によれば、第２の実施形態の効果に加えて、カメラ５と映像処理装置４によって歩行する視聴者の性別や年齢などといった視聴者の特性を認知し、視聴者の特性に対応した映像コンテンツのコンテンツ再生要求を映像配信サーバ２００へ行うことができる。また、映像配信サーバ２００は、当該要求に合致するコンテンツを配信することができる。よって、歩行する視聴者の嗜好に合う映像コンテンツをその視聴者に視聴してもらうことができ、デジタルサイネージ表示に強い関心を視聴者に抱かせることができる。
【００９１】
例えば、ターゲットを絞り、例えば若い女性を、画面１（図６）を含む空間を撮影するカメラ４（４−１）、もしくは、画面４（図６）を含む空間を撮影するカメラ４（４−２）が認知した場合、映像配信サーバ２００は、映像処理装置４からのコンテンツ再生要求に応じて、ターゲットに向けた映像コンテンツ、例えば、データベース上で若い女性という分類と紐付けられた化粧品のＣＭの映像コンテンツを配信する。映像再生装置２は、その化粧品のＣＭの映像コンテンツを再生し、映像表示装置３に表示する。また、映像処理装置４は、視聴者となる若い女性の歩く速度を計算し、その速度から、各映像表示装置３の画面に対するオフセット値を個別に計算し、各映像再生装置２に個別のオフセット値を送信する。各映像表示装置３は、オフセット値に従う再生開始時刻情報に合わせてＣＭを流す。
【００９２】
その結果、進行方向に並んだ複数画面に表示された化粧品ＣＭの内容を、歩行している若い女性が理解することができる。
【００９３】
≪その他≫
（ａ）：動く歩道で移動中の歩行者に対し、動く歩道の進行方向に並んだ複数画面から映像コンテンツを時差表示する場合、動く歩道で移動中の歩行者の移動速度に合わせてオフセット値を複数画面に個別に適宜設定することで、歩行者は、動く歩道で移動しつつ映像コンテンツの内容を理解することができる。
ここで、動く歩道で移動中の歩行者の移動速度は、「移動速度」の一例である。
（ｂ）：車や列車などの移動物体の中にいる人に対し、移動物体の進行方向に並んだ複数画面から映像コンテンツを時差表示する場合、移動物体で移動中の人の移動速度に合わせてオフセット値を複数画面に個別に適宜設定することで、人は、移動物体で移動しつつ映像コンテンツの内容を理解することができる。
ここで、移動物体で移動中の人の移動速度は、「移動速度」の一例である。
【００９４】
（ｃ）：各実施形態では、再生タイミング生成部２４１が、同期済みの時刻情報にオフセット値を作用させて、映像コンテンツの再生開始を遅らせていた。ただし、オフセット値を時刻情報に作用させる処理は、再生タイミング生成部２４１の処理の前段でもよい。例えば、映像再生装置２が備える内部時計部２２（図４など）が、オフセット値を予め有し、内部時計部２２の時刻情報にオフセット値を加味してもよい。また、内部時計部２２は、同期時刻配信サーバ１や映像処理装置４などの第１の装置（外部）から取得したオフセット値を、内部時計部２２の時刻情報に加味してもよい。
また、第１の実施形態の変形例の同期時刻配信サーバ１が設定するオフセット値を、同期時刻配信サーバ１の内部時計部２２の時刻情報に加味してもよい。
【００９５】
（ｄ）：また、映像再生装置２は、予め有している、または、第１の装置（外部）から取得したオフセット値を、映像配信サーバ２００から受信した映像コンテンツから抽出される再生開始時刻情報に加味（加算）して、再生開始タイミングを遅らせることもできる。
（ｅ）：本実施形態の同期時刻配信サーバ１（同期時刻配信部１３）は、複数の映像再生装置２に対して一斉にマルチキャストで時刻情報を送信する代わりに、同期時刻配信サーバ１（同期時刻配信部１３）は、各映像再生装置２に対して、個別にユニキャストにて時刻情報を送信してもよい。
【００９６】
（ｆ）：本実施形態の映像再生装置２は、ＣＰＵ（Central Processing unit）と、メモリと、ハードディスクなどの記憶手段（記億部）と、ネットワークインタフェースとを有するコンピュータとして構成される。このコンピュータは、ＣＰＵが、メモリ上に読み込んだプログラムを実行することにより、各種機能が実現される。同期時刻配信サーバ１、映像表示装置３、映像処理装置４、その他の装置についても同様である。
【符号の説明】
【００９７】
Ａ１，Ａ１−１，Ａ２，Ａ３  デジタルサイネージ時差表示システム
１      同期時刻配信サーバ
１１    同期時刻受信部
１２    内部時計部
１３    同期時刻配信部
１４    オフセット設定部
２      映像再生装置
２１    同期時刻受信部
２２    内部時計部
２３    映像受信部
２４    表示制御部
２４１  再生タイミング生成部
２４２  映像再生部
３      映像表示装置
４      映像処理装置
４１    動体検知部
４２    速度検出部
４３    オフセット算出部
４４    対象識別部
５      カメラ
１００  ＮＴＰサーバ
２００  映像配信サーバ
【図１】
2020031262.tif 000003
【図２】
2020031262.tif 000004
【図３】
2020031262.tif 000005
【図４】
2020031262.tif 000006
【図５】
2020031262.tif 000007
【図６】
2020031262.tif 000008
【図７】
2020031262.tif 000009
【図８】
2020031262.tif 000010
【図９】
2020031262.tif 000011
【図１０】
2020031262.tif 000012
【図１１】
2020031262.tif 000013
【図１２】
2020031262.tif 000014